(57)【要約】【課題】施錠状態と解錠状態とを誤判別することなく、容易に設置できる家屋用の施錠装置の施解錠状態監視装置及び、家屋全体の施錠装置を一括で監視できる監視システムを提供する。【解決手段】操作レバーを回動することにより施解錠を行う施錠装置（クレセント錠など）に設置し、操作レバーの回動角度（傾斜）を傾斜スイッチによって施解錠状態を判定し、その施解錠情報をモニタ装置にて一括監視することができる。【選択図】図１
2016042342.tif 000002
【特許請求の範囲】
【請求項１】
操作レバーを回動させて施解錠を行う施錠装置の施解錠状態を検出する監視装置であって、
前記操作レバーに固定設置し、前記操作レバーの回動時に一体に回動することによって所定の傾斜以上に達すると検出信号を出力する傾斜スイッチと、
前記検出信号によって前記施錠装置の施解錠状態を判別する判定部と、
前記判定部による判定結果を出力する出力部を
備えることを特徴とする施解錠状態監視装置
【請求項２】
請求項１に記載の施解錠状態監視装置において、
前記傾斜スイッチは、筐体が非磁性体で作られ、筐体内部が磁気の影響を受けないことを特徴とする施解錠状態監視装置。
【請求項３】
請求項１又は２に記載の施解錠状態監視装置において、
前記傾斜スイッチは、少なくとも表面が通電性である球体を備え、同球体が前記操作レバーの傾斜によって移動することで所定の傾斜以上に達した際に前記検出信号を出力する機能を有することを特徴とする施解錠状態監視装置
【請求項４】
請求項３に記載の施解錠状態監視装置において、
前記球体は、非磁性体であることを特徴とする施解錠状態監視装置
【請求項５】
請求項１に記載の施解錠状態監視装置を、家屋内における前記施錠装置を設けて且つ監視を必要とする全てのドア及び窓に備え、
その全ての施解錠状態監視装置と相互通信し、それぞれが施錠されているかの情報（以下、施錠情報という）を収集する情報収集装置と、
前記情報収集装置が収集した施錠情報を確認できるモニタ装置を備えることで、
家屋全体のドア及び窓が施錠されているか一括で確認できることを特徴とする施解錠状態監視システム
【請求項６】
請求項５に記載の施解錠状態監視システムにおいて、
前記全ての施解錠状態監視装置、前記情報収集装置および前記モニタ装置間をそれぞれ無線で通信することを特徴とした施解錠状態監視システム。
【発明の詳細な説明】
【技術分野】
【０００１】  本発明は、家屋のドア及び窓に設けられた施錠装置の施解錠状態を検出し、その施解錠状態を監視する装置及びシステムに関するものである。
【背景技術】
【０００２】  住宅を狙った空き巣の被害は年々増加の一途をたどっている。空き巣の侵入口は、窓が約７割を占め、そのうち約４割が無施錠による被害となっており、窓の防犯対策が重要となっている。そのため、窓の防犯対策機器やシステムも数多く提供されており、住宅の窓などに設けられたクレセント錠が施錠されているのか解錠されているのかその状態（以下、施解錠状態）を磁石等の磁性体の磁気を利用して検知し、その施解錠状態を監視する監視装置などがある。
図６は、窓に設けられたクレセント錠の施解錠状態を検知する従来の監視装置の一例を示した図である。
水平に開閉される窓１１は、クレセント錠１２の操作レバー１２ａを回動することにより施錠可能である。クレセント錠１２の操作レバー１２ａには磁石１５が設けられており、クレセント錠１２の施錠状態における磁石の位置と対面する窓１１には、外部磁界によって接点が開閉するリードスイッチ１３を搭載したマグネットセンサ１４が設置されている。このため、リードスイッチ１３は、クレセント錠１２が施錠状態のときにＯＮ状態となる。
ところが、こうした従来の監視装置では、マグネットセンサ１４のリードスイッチ１３に窓１１の外部から磁石を近接させた状態で、例えば窓ガラスを割ってクレセント錠１２を解錠すると、リードスイッチはＯＮ状態のままとなる。すなわち、マグネットセンサ１４はクレセント錠１２が解錠されたにもかかわらず依然としてクレセント錠１２が施錠されているものと判断する。よって、こうした不正な解錠操作がなされた場合であっても、その不正操作を検出することができず、防犯性が低下してしまうという問題があった。【０００３】  この改善策として、特開２００３−２８１６３６号においては、窓枠に設置されたマグネットセンサ内に２つのリードスイッチを有し、クレセント錠の施錠時に、クレセント錠の操作レバー内に設けられた磁石に近いリードスイッチのみが反応するように２つのリードスイッチをクレセント錠側から見て直列にマグネットセンサ内に設ける構成が開示されている。
【先行技術文献】
【特許文献】
【０００４】
【特許文献１】特開２００３−２８１６３６号公報
【発明の概要】
【発明が解決しようとする課題】
【０００５】  しかしながら、特開２００３−２８１６３６号の技術では、２つのリードスイッチの間隔を、クレセント錠の操作レバー内に設けられた磁石に必ず一方のリードスイッチのみが反応し、窓の外側の磁石には両方のリードスイッチが反応するよう十分狭くチューニングすることは極めて困難である。さらに、各家庭に設置されている窓とクレセント錠の間隔は様々であり、設置の度に使用者によるチューニングが必要となる問題がある。
本発明は上記の課題に鑑みてなされたものであり、その目的は、施錠状態と解錠状態とを誤判別することなく、容易に設置できる建物用施錠装置の施解錠状態監視装置を提供することにある。
【課題を解決するための手段】
【０００６】  本発明の請求項１に記載の施解錠状態監視装置は、操作レバーを回動させて施解錠を行う施錠装置の施解錠状態を検出する監視装置であって、前記操作レバーに固定設置し、前記操作レバーの回動時に一体に回動することによって所定の傾斜以上に達すると検出信号を出力する傾斜スイッチと、前記検出信号によって前記施錠装置の施解錠状態を判別する判定部と、前記判定部による判定結果を出力する出力部を備えていることを要旨とする。【０００７】  請求項２に記載の施解錠状態監視装置は、請求項１に記載の施解錠状態監視装置において、前記傾斜スイッチは、筐体が非磁性体で作られ、筐体内部が磁気の影響を受けないことを要旨とする。【０００８】  請求項３に記載の施解錠状態監視装置は、請求項１又は２に記載の施解錠状態監視装置において、前記傾斜スイッチは、少なくとも表面が通電性である球体を備え、同球体が前記操作レバーの傾斜によって移動することで所定の傾斜以上に達した際に前記検出信号を出力する機能を有することを要旨とする。【０００９】  請求項４に記載の施解錠状態監視装置は、請求項３に記載の施錠監視装置において、前記球体は、非磁性体であることを特徴とすることを要旨とする。【００１０】  請求項５に記載の施解錠状態監視システムは、請求項１に記載の施解錠状態監視装置を、家屋内における前記施錠装置を設けて且つ監視を必要とする全てのドア及び窓に備え、その全ての施解錠状態監視装置と相互通信し、それぞれが施錠されているかの情報（以下、施錠情報という）を収集する情報収集装置と、前記情報収集装置が収集した施錠情報を確認できるモニタ装置を備えることで、家屋全体のドア及び窓が施錠されているか一括で確認できることを要旨とする。【００１１】  請求項６に記載の施錠監視システムは、請求項５に記載の施解錠状態監視システムにおいて、前記全ての施解錠状態監視装置、前記情報収集装置および前記モニタ装置間をそれぞれ無線で通信すること要旨とする。
【発明の効果】
【００１２】  本発明によると、家屋のドア及窓に設置された施錠装置の施解錠状態を監視する監視装置を、従来のように磁力のチューニングを実施することなく容易に設置することができ、且つ施解錠状態を正しく判定することが出来る。更に、監視対象となる全てのドア及び窓の施解錠状態を一括で確認できることにより、施錠漏れ等を防止することができ、防犯性を向上することができる。
【図面の簡単な説明】
【００１３】
【図１】本発明の実施例に係る施解錠状態監視装置を窓のクレセント錠に設置した一例を示した図である。
【図２】本発明の実施例に係る施解錠状態監視装置のブロック図である。
【図３】本発明の実施例に係る施解錠状態監視装置の内部構造を示す図である。
【図４】本発明の実施例に係る施解錠状態監視装置とクレセント錠の動作の関連を説明する図である。
【図５】本発明の実施例に係る施解錠状態監視システムの構成図である。
【図６】従来の施解錠状態監視装置の一例を示した図である。
【発明を実施するための形態】
【００１４】  以下、図面を参照して本発明の実施例を説明する。
【実施例１】
【００１５】  図１は、本発明の実施例に係る施解錠状態監視装置を窓のクレセント錠に設置した一例を示した図である。
窓１１は水平に開閉され、クレセント錠１２の操作レバー１２ａを回動することで施錠可能である。クレセント錠１２は、操作レバー１２ａを上に垂直になるように回動させると施錠状態となり、下に垂直になるように回動させると解錠状態となる。その操作レバー１２ａには、施解錠状態監視装置１が設置されている。施解錠状態監視装置１は、操作レバー１２ａと一体となって回動する構成である。【００１６】  図２は、本発明の実施例の施解錠状態監視装置１のブロック図である。施解錠状態監視装置１は、所定の傾斜以上に達すると検出信号を出力する傾斜スイッチ４と、その検出信号によって施錠装置の施解錠状態を判別し、判定結果を出力する判定及び出力部５で構成される。【００１７】  図３は、本発明の実施例の施解錠状態監視装置１の特に傾斜スイッチ４の内部構造を示す図である。傾斜スイッチ４は、導電性の球体６を内蔵し、施錠監視装置１が操作レバー１２ａと一体で回動する際にその傾斜によって球体６が内部を転がって移動し、所定の傾斜もしくはそれ以上の傾斜に達した場合に端子７と接触することでスイッチがＯＮ状態となり、クレセント錠１２が施錠されている状態である検出信号を出力する。すなわち、球体６が端子７と接触していない場合は、傾斜スイッチ４がＯＦＦ状態となり検出信号は出力されず、クレセント錠１２が解錠されている状態であることを示す。図３では、施錠監視装置１はクレセント錠１２が施錠状態であることを検出した図を示している。
判定及び出力部５は、傾斜スイッチ４からの検出信号を受け、クレセント錠１２が施錠されているかどうかを判定し、その結果をクレセント錠１２の施解錠状態を示す情報（以下、施解錠情報）として当該施解錠状態監視装置の外部へ出力する。【００１８】  図４（ａ）、（ｂ）、（ｃ）、（ｄ）は、本実施例の施解錠状態監視装置１における傾斜スイッチ４とクレセント錠１２の動作の関連を説明する図である。
図４（ａ）は、クレセント錠１２が施錠状態における傾斜スイッチ４の動作を示した図である。
図４（ｂ）は、クレセント錠１２が解錠状態における傾斜スイッチ４の動作を示した図である。
図４（ｃ）、（ｄ）は、クレセント錠１２の操作レバーの位置が施錠状態と解錠状態の中間であった場合の傾斜スイッチ４の動作を示した図である。
傾斜スイッチ４は、内部に端子７と導電性の球体６を内蔵し、傾斜の角度により球体６が転がって移動し、端子７に接触してＯＮ状態となる。筐体は、例えば絶縁プラスチックで作られ、またこの球体６を非磁性体とすることで球体６の動きは外部からの磁気の影響を受けない。【００１９】  図４（ａ）において、施錠時における傾斜スイッチ４は、傾斜が＋９０°となり、球体６が端子７と接触し、ＯＮ状態となるため、施解錠状態監視装置１はクレセント錠１２が施錠されている状態と判定する。一方、図４（ｂ）に示すように、解錠時における傾斜スイッチ４は、傾斜が−９０°となり、球体６が端子７と接触せず、ＯＦＦ状態となるため、施解錠状態監視装置１は解錠されている状態と判定する。この時、外部から磁石等を近づけ、不正に判定結果を得ようとしても、傾斜スイッチ４の筐体は絶縁プラスチックで作られている、又は球体６が非磁性体であるため、外部からの磁気の影響を受けず、正しく判定をすることが出来る。【００２０】  また、図４（ｃ）、（ｄ）に示すように、クレセント錠１２の操作レバーの位置が施錠状態と解錠状態の中間であった場合の傾斜スイッチ４は、例えば傾斜が＋１０°より大きくなると球体６が端子７と接触し、ＯＮ状態となり、−１０°より大きくなると球体６が端子７と接触せず、ＯＦＦ状態となる。傾斜角度が＋１０°と−１０°の間の場合、球体６と端子７の接触は不定となるが、このような中間状態となった場合の傾斜スイッチ４の動作設定は、通常の施解錠操作において問題とならないように予め定めておけば良い。【００２１】  図５は、本発明の実施例に係る施解錠状態監視システムの構成図である。図５において、施解錠状態監視システム９は、施解錠状態監視装置１、情報収集装置２、モニタ装置３等を有し、家屋１０の窓の施解錠状態を監視する。
情報収集装置２は、窓１１に設置された施解錠状態監視装置１からの施解錠情報８を受信し、受信した情報をモニタ装置３へ送信する。モニタ装置３は、家屋１０内に設置され、情報収集装置２から施錠情報確認することができる。
一般的に家屋にはドアや窓が多数存在するが、ここでは説明の便宜上、１つの窓１１のクレセント錠１２が施錠されているかを監視するものとして説明した。すなわち、家屋１０の全てのドアや窓に対して施錠監視装置１を設置し、それぞれのドア及び窓の施錠情報を情報収集装置２へ送信し、その情報方をモニタ装置３において一括して確認することが可能である。
また、施解錠状態監視装置１、情報収集装置２、モニタ装置３のそれぞれに無線機能を内蔵する事により、各装置間の信号や情報のやり取りを無線にて実施することが可能である。
また、更にモニタ装置３を無線やインターネット回線等を用いた携帯端末とすること、又はこのようなモニタ装置を追加して備えることも可能であり、こうする事により屋外や外出先に置いても家屋１０の全体の施解錠情報を一括で確認をすることができる。
【符号の説明】
【００２２】  １    施解錠状態監視装置
２    情報収集装置
３    モニタ装置
４    傾斜スイッチ
５    判定及び出力部
６    球体
７    端子
８    施解錠情報
９    施解錠状態監視システム
１０    家屋
１１    窓
１２    クレセント錠
１３    リードスイッチ
１４    マグネットセンサ
１５    磁石
【図１】
2016042342.tif 000003
【図２】
2016042342.tif 000004
【図３】
2016042342.tif 000005
【図４】
2016042342.tif 000006
【図５】
2016042342.tif 000007
【図６】
2016042342.tif 000008